(57)【要約】      （修正有）【課題】名刺とカタログ、アンケート、イベントの案内などを一枚の紙に印刷し、折りたたんで仮接着しコンパクトにまとめた複合名刺であって、名刺として使用後、剥離して名刺としても保存できるし、カタログ、アンケート、イベントの案内部分は、使用後引き離し廃棄可能な複合名刺を開発する。【解決手段】紙を展開した状態で印刷し、しかる後、紙を折り重ね、容易に剥離可能な如く仮接着し、その仮接着した用紙の最上層紙に、所属する機関・住所・氏名などを印刷し名刺としたことを特徴とする。また、仮接着した用紙の最上層紙の端にミシン目5を入れ容易に切り離し、名刺として保存可能とし、仮接着した用紙の最上層乃至（及び）最下層は他の層より小さくし剥離を容易にし、紙を折り重ねる枚数が２〜１０枚であることを特徴とする。【選択図】図２
0003101560.tif 000002
【実用新案登録請求の範囲】
【請求項１】
紙を展開した状態で印刷し、しかる後、紙を折り重ね、容易に剥離可能な如く仮接着し、しかる後仮接着した用紙の最上層紙に所属する機関・住所・氏名などを印刷し名刺としたことを特徴とする複合名刺。
【請求項２】
請求項１において、仮接着した用紙の最上層紙の端にミシン目を入れ容易に切り離し、名刺として保存可能としたことを特徴とする複合名刺。
【請求項３】
請求項１において、仮接着した用紙の最上層乃至（及び）最下層は他の層より小さくし剥離を容易にしたことを特徴とする複合名刺。
【請求項４】
請求項１、２、３において、紙を折り重ねる枚数が２〜１０枚であることを特徴とする複合名刺。
【請求項５】
請求項１、２、３において、紙を折り曲げる枚数が３枚であることを特徴とする複合名刺。
【請求項６】
請求項１〜５において、最上層の名刺の裏側〜最終ページまでにカタログが含まれていることを特徴とする複合名刺。
【請求項７】
請求項１〜５において、最上層の名刺の裏側〜最終ページまでにイベント案内が含まれていることを特徴とする複合名刺。
【請求項８】
請求項１〜５において、最上層の名刺の裏側〜最終ページまでにアンケート用紙が含まれていることを特徴とする複合名刺。
【考案の詳細な説明】
【技術分野】
【０００１】
本考案は、複合名刺に関し、更に詳しくは、カタログなどを印刷し折り重ね仮接着して名刺の大きさとし、その表面に氏名などを印刷し名刺の形態とした、カタログなどを内蔵した複合名刺に関する。
【背景技術】
【０００２】
従来、個人あての請求書、督促状、試験の合否通知などに隠蔽式はがきが広く採用されている。例えば、隠蔽したい情報を印刷後、折り重ねて隠蔽し、表面に住所・氏名などを印刷し隠蔽式はがきとすることが公知である（特許文献１）。また、隠蔽式のデータを内蔵する往復はがきの例もある（特許文献２）
【０００３】
【特許文献１】特開平８−２５８４９号公報
【特許文献２】実開平６−７５７７１号公報
【０００４】
一方、名刺は、自己の氏名、住所、地位、所属する会社、官庁などの記した小型のカードであって広く使用されている。カタログは商品目録、営業案内であり、アンケートとは、質問に対し回答してもらう市場調査である。イベントは大売出し、特売などの行事である。そして、営業マン、市場調査マンにとって、名刺と自己の担当商品のカタログ、アンケート用紙、イベントの案内は必須の書類となっている。
【考案の開示】
【考案が解決しようとする課題】
【０００５】
もし、名刺とカタログやアンケート及びイベントの案内が一つの書類でまとまれば、移動に際して荷物が少なくなるし、紙の節約にもつながる。そこで本考案の目的は、名刺とカタログ、アンケート、イベントの案内などを組み合わせた複合名刺とする本考案に到達したのである。すなわち、本考案の目的は、名刺とカタログ、アンケート、イベントの案内などを一枚の紙に印刷し、折りたたんで仮接着しコンパクトにまとめた複合名刺であって、複合名刺として使用後、剥離して名刺としても保存できるし、カタログやアンケート・イベントの案内などの部分は、使用後引き裂き廃棄可能な複合名刺を開発することである。
【課題を解決するための手段】
【０００６】
すなわち、本考案の複合名刺は、以下の特徴を有する。
（１）  紙を展開した状態で印刷し、しかる後、紙を折り重ね、容易に剥離可能な如く仮接着し、しかる後仮接着した用紙の最上層紙に所属する機関・住所・氏名などを印刷し名刺としたことを特徴とする。
（２）  （１）において、仮接着した用紙の最上層紙の端にミシン目を入れ容易に切り離し、名刺として保存可能としたことを特徴とする。
（３）  （１）において、仮接着した用紙の最上層乃至（及び）最下層は他の層より小さくし剥離を容易にしたことを特徴とする。
（４）  （１）、（２）、（３）において、紙を折り重ねる枚数が２〜１０枚であることを特徴とする。
（５）  （１）、（２）、（３）において、紙を折り曲げる枚数が３枚であることを特徴とする。
（６）  （１）〜（５）において、最上層の名刺の裏側〜最終ページまでにカタログが含まれていることを特徴とする。
（７）  （１）〜（５）において、最上層の名刺の裏側〜最終ページまでにイベント案内が含まれているとを特徴とする。
（８）  （１）〜（５）において、最上層の名刺の裏側〜最終ページまでにアンケート用紙が含まれていることを特徴とする。
【０００７】
本考案の複合名刺に使用される紙は、通常のセルロース系パルプから製造された紙が使用される。そして、複合名刺では何枚か積層された構造であるため、薄い紙が好ましい。すなわち、３〜４枚重ねて通常の名刺の厚みとなる程度が好ましい。
紙の素材としては、セルロースが好ましい。印刷性がポリオレフィンなどより優れているからである。フィルムを紙とした合成紙では、折り曲げが困難であるため、好ましくない。
【０００８】
本考案で用いる紙の印刷に使用するインクとしては、顔料と、合成高分子及びアマニ油など不飽和油脂からなる通常のインクをあげることができる。また合成高分子の代わりに紫外線硬化樹脂を用いることもできる。
【０００９】
本考案で用いる紙の仮接着に使用される仮接着剤としては、通常の状態では剥離することなく、小さな力で容易に剥離可能で、剥離した後べとつきがないことが必要である。この目的のため、粘着剤、粘着力調整剤、添加剤からなる配合品が使用される。
粘着剤としては、天然ゴム（ＮＲ）、エステル化天然ゴム、スチレンブタジエンゴム（ＳＢＲ）、クロロプレンゴム、ポリ酢酸ビニル、ポリメチルメタクリレート、ポリメチルアクリレートなどをあげることができ、これらの混合物をあげることができる。
粘着力調整剤は、粘着剤の粘着力調整のために使用され、針状物質、微粒子状物質が使用される。具体的には、針状物質としては、チタン酸カリウムをあげることができるし、微粒子物質としては、マイクロシリカ、合成ゼオライト炭酸カルシウ、酸化亜鉛、タルクなどをあげることができる。そして、その粒径は０．５〜１０μｍ程度である。
【００１０】
添加物としては、潤滑性などの向上のためポリエチレンワックス、カルナバワックス、蜜ロウなどをあげることができる。また紫外線安定剤などが使用できる。また仮接着のための仮接着剤をエマルジョンとして塗布することが好ましく、エマルジョンとするため、乳化剤が使用される。乳化剤としては、オレイン酸石ケンをあげることができる。
【００１１】
また、紙の仮接着力調整のため、印刷後、シリコン化合物で処理して紙の表面にシリコン膜を形成することもできる。シリコン膜が形成されていると、仮接着に使用される仮接着剤との親和力が減少し、より容易に剥離可能となる。
【００１２】
本考案の複合名刺の表面にくる所属機関、氏名、住所などを記した名刺としての部分の端にミシン目を入れ引き裂きやすくすることが好ましい。これにより、カタログとしての内容を印刷した部分が不要になれば、その部分をミシン目の部分で引き離し、名刺としての部分のみ保存することが可能となる。
【００１３】
複合名刺の所属機関、氏名、住所などを印刷した表面部、及び裏面部は、カタログとしての内容を印刷した中間部より、やや小さくすることが好ましい。この様にすることにより、中間部全体を表面部及び裏面部が覆っておらず、この表面部及び裏面部が覆っていない部分を軽く折り曲げれば、容易に表面部及び裏面部が剥離可能となるからである。
【００１４】
複合名刺の紙を折り重ねる枚数は、２〜１０枚であり、好ましくは３枚である。多くの場合、紙は両面に印刷されるため、３枚程度で充分な情報を盛り込むことが可能であるからである。
【考案を実施するための最良の形態】
【００１５】
図１は、複合名刺の仮接着前の展開図である。右端に名刺部分１を印刷し左側にはカタログ部分ａ２、カタログ部分ｂ３を印刷する。なお、名刺部分、カタログ部分ａ及びカタログ部分ｂの裏面にもカタログが印刷されている（図示せず）。図２は、折り曲げ過程の斜視図を示す。
図３は仮接着後の複合名刺を示す。仮接着後は、表面側から見ると名刺の形態となり名刺として使用できる。折り曲げ部ｂ８の付近を曲げれば、仮接着部は容易に剥離可能である。カタログを見たいときは、仮接着を剥離すれば、図１の展開図となり名刺のみ保存したいときは、ミシン目を離せばよい。なお、上記の例ではカタログをあげたがアンケートやイベントの案内などとすることもむろん可能である。
【００１６】
以上の説明によって明らかな様に、本考案による複合名刺は、以下に列挙した如き、実用上の好ましい効果を奏する。
（ａ）  名刺とカタログ、アンケート、イベントの案内を別々に持ち運ぶ必要がない。
（ｂ）  名刺の裏面などに、担当の営業種目などを記載してメモを作成しておく必要がない。
（ｃ）  名刺のみ切り離すことが可能であり、名刺のみコンパクトに保存可能である。
【図面の簡単な説明】
【００１７】
【図１】複合名刺の展開図である。
【図２】仮接着前の複合名刺の斜視図である。
【図３】仮接着後の複合名刺の正面図である。
【符号の説明】
【００１８】
１    名刺部分（表面部）
２    カタログ部分ａ
３    カタログ部分ｂ
４    カタログ部分ｃ
５    ミシン目
６    中間部
７    折り曲げ部ａ
８    折り曲げ部ｂ
【図１】
0003101560.tif 000003
【図２】
0003101560.tif 000004
【図３】
0003101560.tif 000005